(57)【要約】【課題】両軸受型リール使用の場合に、把持感と操作性が良く、更には、元側竿杆が撓んだ際の応力集中を防止できる釣竿を提供する。【解決手段】竿杆の外側に套嵌させた筒状のリールシート本体１２と、前側に設けた移動フード１６と、後側に設けた硬質材製環状固定フード１８と、リール脚載置面２０とを有するリール装着部を設け、固定フードの後ろには柔軟な握り部材２４が設けられており、該握り部材の先部２４Ａは、前記固定フード又は該固定フードの直後に設けられて竿杆に対して固定されている硬質材製環状部材１９の、前記リール脚載置面側とは径方向反対側に延伸していると共に該固定フード又は環状部材の長さ範囲内において終端しており、該握り部材先部領域に対応する径方向反対側領域は硬質材の面が露出しており、前記筒状リールシート本体の前記リール脚載置面とは径方向反対側の後端１２Ｅは該握り部材先部の先端位置より前側で終端している。【選択図】        図１
2006304680.tif 000002
【特許請求の範囲】
【請求項１】
繊維強化樹脂製竿杆の外側に套嵌させた筒状のリールシート本体と、該本体の前側領域に設けた移動フードと、後側領域に設けた硬質材製環状固定フードとを有し、その間の筒状リールシート本体領域をリール脚載置面とするリール装着部を設けており、前記固定フードの後ろ側には柔軟な握り部材が設けられており、該握り部材の先部は、前記固定フード又は該固定フードの直後に設けられて竿杆に対して固定されている硬質材製環状部材の、前記リール脚載置面側とは径方向反対側に延伸していると共に、該固定フード又は環状部材の長さ範囲内において終端しており、該握り部材先部領域に対応する径方向反対側領域は硬質材の面が露出しており、前記筒状リールシート本体の前記リール脚載置面とは径方向反対側の後端は該握り部材先部の先端位置より前側で終端していることを特徴とするリール装着部を有する釣竿。
【請求項２】
前記固定フード又は環状部材と前記握り部材とは長手方向に互いに突き合わせられており、該各突き合わせ端は互いに係合する凹凸状に形成されている請求項１記載のリール装着部を有する釣竿。
【発明の詳細な説明】
【技術分野】
【０００１】
本発明は、リール装着部を有する釣竿に関し、特に、両軸受型リールを使用し、後側に環状の固定フードを設けた大物用の釣竿に関する。
【背景技術】
【０００２】
リール装着部を設けた釣竿において、リール装着部やその近くを把持した場合に、その把持感を向上させるべく人差し指や中指の当たる領域を柔軟性部材で被覆した構造の釣竿が種々開発されている。下記特許文献１にはそうした物の例が開示されている。
【特許文献１】特開２００４−２４１６２号公報
【発明の開示】
【発明が解決しようとする課題】
【０００３】
然しながら、上記特許文献のものはスピニングリールの使用を想定しており、両軸受型リール使用の場合とは把持の方法が異なるため、軟質材で形成した延在部の前側領域をリール装着部のリール脚載置面の前側部に相当する位置まで延設している。また、リールシ−ト本体の固定フードよりも後側に被覆面なる筒状部を延伸させており、リール装着部の後方側竿杆の撓みに関しても、撓みの際の応力集中を低減できる構造ではない。
依って解決しようとする課題は、両軸受型リール使用の場合に、把持感と操作性が良く、更には、元側竿杆が撓んだ際の応力集中を防止できる釣竿の提供である。
【課題を解決するための手段】
【０００４】
第１の発明では、繊維強化樹脂製竿杆の外側に套嵌させた筒状のリールシート本体と、該本体の前側領域に設けた移動フードと、後側領域に設けた硬質材製環状固定フードとを有し、その間の筒状リールシート本体領域をリール脚載置面とするリール装着部を設けており、前記固定フードの後ろ側には柔軟な握り部材が設けられており、該握り部材の先部は、前記固定フード又は該固定フードの直後に設けられて竿杆に対して固定されている硬質材製環状部材の、前記リール脚載置面側とは径方向反対側に延伸していると共に、該固定フード又は環状部材の長さ範囲内において終端しており、該握り部材先部領域に対応する径方向反対側領域は硬質材の面が露出しており、前記筒状リールシート本体の前記リール脚載置面とは径方向反対側の後端は該握り部材先部の先端位置より前側で終端していることを特徴とするリール装着部を有する釣竿を提供する。
【０００５】
固定フードの直後に設けられて竿杆に対して固定されている硬質材製環状部材とは、その一部を固定フードの内部に挿入したり、逆に固定フードの後端部を受け入れて一体化させている別部品の硬質材製環状部材でもよく、また、固定フードの後端面と部材の前端面が当接状態に位置している別部品の硬質材製環状部材でもよい。また、硬質環状部材は竿杆に対して直接又は間接に接着等によって相対的に動かないように固定されている。
【０００６】
第２の発明では、第１発明の固定フード又は環状部材と握り部材とは長手方向に互いに突き合わせられており、該各突き合わせ端は互いに係合する凹凸状に形成する。
【発明の効果】
【０００７】
第１の発明では、金属や硬質樹脂のような硬質材の固定フードかその直後の硬質材環状部材の、リール脚載置面側とは径方向反対側に、柔軟な握り部材が延伸しており、該延伸部とは径方向反対側の領域（リール脚載置面側領域）に硬質材面が露出しているため、両軸型リールを装着すれば、人差し指や中指等を柔軟な延伸部に宛がいつつ、親指を硬質材面に押し付けることができ、大物を釣る際のように強く把持する場合にも把持感が良い上に、親指に強く力を入れて握ることができ、操作性が向上する。更には、大物が掛かってやり取りをする場合、竿尻を釣り人の腹に宛がい、ポンピング操作等を行うが、この際、固定フード又はその直後の硬質材製環状部材の後方側竿杆も撓もうとする。両軸受型リールを上側に載置しているため、該後方側竿杆、即ち、元側竿杆は下方側に撓もうとする。しかし、筒状リールシート本体の、リール脚載置面とは径方向反対側の後端は握り部材延伸部の先端位置より前側で終端しているので、撓んだ竿杆は筒状リールシート本体の後端を押圧して応力集中を受けることは無い。従って、撓んだ竿杆の下面は、固定フード又はその直後の硬質材製環状部材の後端に押し付けられるが、竿杆に対して固定関係にある固定フード又はその直後の硬質材製環状部材は、（自身の上側領域によって）竿杆が下方側に撓む力を受け持って低減させ、その結果、竿杆の下面部が固定フード又はその直後の硬質材製環状部材の後端に押し付けられた場合の応力集中を低減させ、支点折れ破損の虞を低減防止できる。
【０００８】
第２の発明では、釣竿の組み付け製作作業において、各部品を突き合せた場合に、互いの突き合せ端面の相対滑りによる中心軸のずれ（偏芯）を生じ難く、組み付け作業性が向上する
【発明を実施するための最良の形態】
【０００９】
以下、本発明を図面を用いて詳細に説明する。図１は本発明に係る釣竿の一部破断の要部側面図である。エポキシ樹脂等の合成樹脂をマトリックスとし、炭素繊維等の強化繊維で強化した繊維強化樹脂製の竿杆１０の所定領域外周面に、アルミニウム、真鍮、ステンレス等の金属製の筒状リールシート本体１２が接着固定されている。その本体の前部外周には、雄ねじ１２Ｎが形成されており、これに螺合するナット部材１４と、その後ろ側に環状の移動フード１６が配設されている。一方、リールシート本体の後部外周には環状の固定フード１８が焼き嵌めや接着等によって一体化固定されている。
【００１０】
なお、リールシート本体の後端１２Ｅはこの固定フードにおける後端近くに位置している。更には、この固定フードの直後に隣接して環状部材１９が配設され、両部材の端面同士が接着されていると共に、環状部材１９は竿杆１０の外表面にも接着固定されている。移動フード１６、固定フード１８、環状部材１９は、夫々金属製であり、この場合はアルミニウム製であり、後述する握り部材２４と比較して硬質である。以上のアルミニウムは表面に１０μ以上の厚さのアルマイト処理が施されており、耐食性に優れている。金属に代え、ポリアミド樹脂、ＡＢＳ樹脂、ポリアセタール等の硬質合成樹脂で形成してもよい。
【００１１】
上記環状部材１９の後端１９Ｋは傾斜状に形成されており、該環状部材の直後に突き合わせ状に隣接して柔軟な握り部材２４が竿杆１０の外表面に接着固定されている。柔軟な材料としては、ゴム、コルク、エチレン酢酸ビニル共重合体（ＥＶＡ）等がある。例えば、硬度が７５度±５度の高発泡させたＥＶＡ等が好適である。参照番号２８は前側グリップであり、２６は尻栓である。握り部材２４の先部２４Ａは、両軸受型リール２２の脚を載置するリールシート本体１２のリール脚載置面２０とは径方向反対側に延伸し、環状部材１９の長さ範囲内に終端している。
【００１２】
図２は上記握り部材２４の縦断面図、図３は上記環状部材１９の縦断面図、図４は握り部材と環状部材を突き合わせて竿杆１０を挿通させ、接着固定した状態の縦断面図である。前側の手で前側グリップ２８を握り、後側の手でリール近くを握る場合は、上記握り部材２４の領域を握る。この場合、両軸受型リール使用であるため、後側の手の人差し指や中指をリール脚載置面２０とは径方向反対側の角度位置に位置させ、親指はリール脚載置面側に位置させる。また、人差し指の位置と、親指の位置とは、釣竿の長手方向においてほぼ同じ位置に来る。従って、親指を環状部材１９の上に位置させると、人差し指等は握り部材の先部（延伸部）２４Ａに位置する。従って、硬質の環状部材を親指で強く押しつつ釣竿操作をする場合に、人差し指等は感触の良い握り部材上に位置することができる。
【００１３】
更には、釣竿の尻栓２６の後端を腹に宛がってポンピング操作等を行うが、この際、固定フードとその直後の硬質材製環状部材の後方側竿杆も撓もうとする。図４を参照すると、この後方側竿杆は、硬質な環状部材１９の傾斜状後端１９Ｋの上側領域は、環状部材の内周面１９Ｕと接着固定されているため、竿杆が下側方向に撓もうとしても、その撓みに対して抵抗となる。言い換えれば、後方側竿杆が下方に撓む力を一部受け持ち、撓み力を低減させる。このため、竿杆が環状部材内面の後端１９Ｋにおける下端１９Ｅを押圧する力は低減される。このため、この後端１９Ｅにおける竿杆に対する応力集中を防止できる。なお、この後端１９Ｅを面取りしておくと、更に応力集中防止に寄与する。
【００１４】
また、環状部材の傾斜状後端１９Ｋと、握り部材２４の傾斜状前端２４Ｋとは、長手方向に突き合わせた際に、ずれないことが理想である。このため、図２と図３に示すように、各傾斜状前後端は直線ではなく、緩やかな凹凸状にしている。即ち、握り部材２４の傾斜状前端２４Ｋの下半分は、曲率半径Ｒ１の前側に凸な形状であり、これに対応する環状部材１９の傾斜状後端１９Ｋの下半分は、曲率半径Ｒ１の前側に凹んだ形状である。また、握り部材２４の傾斜状前端２４Ｋの上半分は、曲率半径Ｒ２の後ろに凹んだ形状であり、これに対応する環状部材１９の傾斜状後端１９Ｋの上半分は、曲率半径Ｒ２の後ろに凸な形状である。
【００１５】
これによって、突き合せた場合に相対滑りによる偏芯を生じ難く、竿杆１０を挿入して接着固定する場合の作業性が向上する。一例として、上記半径Ｒ１，Ｒ２は同じ値であり、４０ｍｍである。更には、握り部材２４は柔軟性を有するため、握った場合に縮径する。従って、硬質な環状部材１９の外径よりも幾分大きく形成している。その他、各部材の傾斜状前端又は後端の外側縁に面取りを施しておくと、把持した場合に違和感を生じ難い。
【００１６】
図５は、本発明に係るリール装着部を有する釣竿の第２形態例を示す。第１の形態例と異なるのは、固定フード１８の直後の環状部材１９が無く、固定フード１８の後端に隣接しているのは握り部材２４である。即ち、リール脚載置面２０とは径方向の反対側の固定フード領域、言い換えると、図５における固定フード１８の下側領域であって、前端近くを除く領域が傾斜状に切り欠かれており、この切欠き領域に、握り部材２４の先部２４Ａが延伸し、終端している。
【００１７】
従って、親指を硬質材で形成されている固定フード１８の上面に載置し、人差し指等は柔軟な握り部材の延伸先部２４Ａに位置できる。なお、筒状リールシート本体１２の後端１２Ｅは、固定フード１８の切り欠かれていない前端部領域に位置している。その他の構成は第１形態例の場合と同じである。従って、第１形態例の場合と同様な作用効果を奏する。
【産業上の利用可能性】
【００１８】
本発明は、両軸受型リールを使用し、後側に環状の固定フードを設けた大物用の船竿等に利用できる。
【図面の簡単な説明】
【００１９】
【図１】図１は本発明に係る釣竿の要部側面図である。
【図２】図２は図１の主要部品の縦断面図である。
【図３】図３は図１の他の主要部品の縦断面図である。
【図４】図４は図２と図３の部品を突き合せた図である。
【図５】図５は本発明に係る他の釣竿の要部側面図である。
【符号の説明】
【００２０】
１０                          竿杆
１２                          筒状リールシート本体
１８                          固定フード
１９                          硬質環状部材
２０                          リール脚載置面
２４                          握り部材
２４Ａ                        握り部材の先部（延伸部）
【図１】
2006304680.tif 000003
【図２】
2006304680.tif 000004
【図３】
2006304680.tif 000005
【図４】
2006304680.tif 000006
【図５】
2006304680.tif 000007